(57)【要約】【課題】極細の電線の被覆部でも、屈曲変形を招くことなく、しっかりと固定できる圧着端子及び圧着端子における電線固定構造を提供すること。【解決手段】被覆載置部の両側に延設された一対の被覆加締め片１５ｂ，１５ｃを被覆載置部に載せられた電線３の被覆部３ａに加締め付けることで被覆部３ａを固定する圧着端子１１において、被覆固定部は、被覆部３ａの長手方向に位置をずらした少なくとも２カ所に設けられ、被覆固定部１５の一対の被覆加締め片１５ｂ，１５ｃは、被覆部３ａの上に加締め付けた際に、それぞれの先端同士が重なるように延出方向と長さを設定したことで、各被覆加締め片から電線３への締め付け力の作用点がずれないため、電線３に屈曲変形を招くことが無く、しっかりとした固定が可能になる。【選択図】図１
2010113984.tif 000002
【特許請求の範囲】
【請求項１】
被覆載置部の両側に延設された一対の被覆加締め片を前記被覆載置部に載せられた電線の被覆部に加締め付けることで前記被覆部を固定する被覆固定部と、前記電線の被覆部の先端側に露出した導体部との導通接続を果たす圧着接続部とを備えた圧着端子であって、
前記被覆固定部は、前記被覆部の長手方向に位置をずらした少なくとも２カ所に設けられ、
前記各被覆固定部の一対の前記被覆加締め片は、前記被覆部の上に加締め付けた際に、それぞれの被覆加締め片の先端同士が重なるように、延出方向と長さを設定され、前記各被覆固定部では、一対の前記被覆加締め片の先端部の合わせ順序を逆にしたことを特徴とする圧着端子。
【請求項２】
被覆載置部の両側に延設された一対の被覆加締め片を前記被覆載置部に載せられた電線の被覆部に加締め付けることで前記被覆部を固定する被覆固定部と、前記電線の被覆部の先端側に露出した導体部との導通接続を果たす圧着接続部とを備え、
前記被覆固定部は、前記被覆部の長手方向に位置をずらした少なくとも２カ所に設けられ、
前記各被覆固定部の一対の前記被覆加締め片は、前記被覆部の上に加締め付けた際に、それぞれの被覆加締め片の先端同士が重なるように、延出方向と長さを設定された圧着端子における電線固定構造であって、
前記圧着端子の前記各被覆固定部に前記電線の被覆部を固定する際に、隣接する前記各被覆固定部では、一対の前記被覆加締め片の先端部の合わせ順序を逆にしたことを特徴とする圧着端子における電線固定構造。
【発明の詳細な説明】
【技術分野】
【０００１】
本発明は、圧着端子及び圧着端子における電線固定構造に関する。
【背景技術】
【０００２】
車両等に搭載されるワイヤハーネスに使用される電線は、機器や他の配線との電気接続を容易にするために、電線の先端に圧着端子を接続することが行われている。
【０００３】
図５は、コネクタ接続用の圧着端子の従来例を示したものである。
この圧着端子１は、金属板によるプレス成形品で、コネクタハウジングの端子挿入穴に嵌合支持されて相手側のコネクタ端子との嵌合接続を果たす嵌合接続部２と、電線３の先端が接続される電線圧着部４とから構成されている。
【０００４】
電線圧着部４は、一般に、嵌合接続部２から延出した被覆載置部（底板部）５ａの両側に延設された一対の被覆加締め片５ｂ，５ｃを被覆載置部５ａに載せられた電線３の被覆部３ａに加締め付けることで被覆部３ａを固定する被覆固定部５と、電線３の被覆部３ａの先端側に露出した導体部３ｂとの導通接続を果たす圧着接続部７とを備えている（例えば、特許文献１参照）。
【０００５】
また、図示例の被覆固定部５では、一対の被覆加締め片５ｂ，５ｃは、互いの先端部が重ならないように、対向する側縁にテーパ部６が設けられて、先端側が幅狭になっている。
【０００６】
圧着接続部７では、被覆載置部５ａと一体の導体載置部７ａの両側に延設された一対の導体加締め片７ｂ，７ｃを導体載置部７ａに載せられた導体部３ｂに加締め付けることで、導体部３ｂとの圧着接続を果たす。
【０００７】
【特許文献１】特開２０００−２５１９６１号公報
【発明の開示】
【発明が解決しようとする課題】
【０００８】
ところで、図５に示した従来の圧着端子１の被覆固定部５では、それぞれの被覆加締め片５ｂ，５ｃを先端部が重ならないように位置をずらして装備しているため、これらの一対の被覆加締め片５ｂ，５ｃを電線３の被覆部３ａに加締め付けたときに、それぞれの被覆加締め片５ｂ，５ｃから電線３に作用する押圧荷重（剪断荷重）ｆ１、ｆ２は、向きが逆で作用点が電線３の長さ方向に加締め片間の距離Ｌだけずれた荷重となる。
【０００９】
しかし、近年では、車載部品等の軽量化や小型化の要求に応じて、ワイヤハーネスを構成する電線の軽量化や細径化が進められ、電線の剛性が従来よりも低くなっているため、前述のように作用点がずれた位置に逆向きの押圧荷重ｆ１、ｆ２が作用すると、これらの荷重の作用点間で電線３に屈曲変形を生じさせる加締め不良が生じる虞があった。
【００１０】
一方、電線３の屈曲変形が生じないように、各被覆加締め片５ｂ，５ｃの加締め力を軽減すると、締め付け不足で、電線３をしっかりと固定することが出来なくなるという、問題が生じた。
【００１１】
更に、近年では、圧着端子１においても、軽量化を目的として、使用する金属板の薄肉化が進められていて、被覆固定部５における各被覆加締め片５ｂ，５ｃの強度も若干弱くなっている。
【００１２】
そのため、一対の被覆加締め片５ｂ，５ｃが重ならないように被覆部３ａに加締め付けられる従来の被覆固定部５の構造では、電線３の基端側に巻き付いている被覆加締め片５ｃの巻きを戻す方向（図の矢印Ｔ１方向）に外力により電線３が振れると、電線３から作用する外力により、被覆加締め片５ｃの巻が緩む方向に被覆加締め片５ｃの変形が生じて、被覆部３ａに対する固定力が低下する虞もあった。
【００１３】
本発明の目的は上記課題を解消することに係り、固定対象となる電線が剛性の低い極細の電線でも、該電線の被覆部に屈曲変形による加締め不良を招くことがなく、しっかりと固定することができ、また、電線を介して被覆加締め片に作用する外力で、電線への巻きが緩む方向に被覆加締め片が変形することを防止して、被覆部への適正な固定状況を長期に亘って維持することのできる圧着端子及び圧着端子における電線固定構造を提供することにある。
【課題を解決するための手段】
【００１４】
本発明の前述した目的は、下記の構成により達成される。
（１）  被覆載置部の両側に延設された一対の被覆加締め片を前記被覆載置部に載せられた電線の被覆部に加締め付けることで前記被覆部を固定する被覆固定部と、前記電線の被覆部の先端側に露出した導体部との導通接続を果たす圧着接続部とを備えた圧着端子であって、
前記被覆固定部は、前記被覆部の長手方向に位置をずらした少なくとも２カ所に設けられ、
前記各被覆固定部の一対の前記被覆加締め片は、前記被覆部の上に加締め付けた際に、それぞれの被覆加締め片の先端同士が重なるように、延出方向と長さを設定され、前記各被覆固定部では、一対の前記被覆加締め片の先端部の合わせ順序を逆にしたことを特徴とする圧着端子。
【００１５】
（２）  被覆載置部の両側に延設された一対の被覆加締め片を前記被覆載置部に載せられた電線の被覆部に加締め付けることで前記被覆部を固定する被覆固定部と、前記電線の被覆部の先端側に露出した導体部との導通接続を果たす圧着接続部とを備え、
前記被覆固定部は、前記被覆部の長手方向に位置をずらした少なくとも２カ所に設けられ、
前記各被覆固定部の一対の前記被覆加締め片は、前記被覆部の上に加締め付けた際に、それぞれの被覆加締め片の先端同士が重なるように、延出方向と長さを設定された圧着端子における電線固定構造であって、
前記圧着端子の前記各被覆固定部に前記電線の被覆部を固定する際に、隣接する前記各被覆固定部では、一対の前記被覆加締め片の先端部の合わせ順序を逆にしたことを特徴とする圧着端子における電線固定構造。
【００１６】
上記（１）の構成によれば、電線の被覆部を複数の被覆固定部で固定することになるため、単一の被覆固定部しか装備していなかった従来の圧着端子と比較して、電線の固定強度を向上させることができる。また、被覆固定部に装備された一対の被覆加締め片は、それぞれの先端同士が重なるように装備されていて、一対の被覆加締め片を被覆部の上に加締め付けた際に、各被覆加締め片から電線への締め付け力の作用点がずれないため、固定対象となる電線が剛性の低い極細の電線等で、各被覆加締め片を強く加締め付けても、電線に屈曲変形を招くことがなく、しっかりとした固定が可能になる。
更に、上記（２）に示した電線固定構造を実施することが可能になる。
【００１７】
また、被覆固定部に装備された一対の被覆加締め片が、互いの先端部を重ねた状態で被覆部に加締め付けられる電線固定構造では、先端部が下になっている側の被覆加締め片は、上に重なっている他方の被覆加締め片により動きが規制されて、被覆部に対する巻き（締め付け）が緩み難い。即ち、先端部が下になっている側の被覆加締め片は、電線の振れ等で巻きを緩める方向の外力が作用しても、その外力に抗して、緩みの発生を防止することができる。
さらに、その外力による導体部への負荷力を抑制し、電気的特性を維持できる。
【００１８】
そして、上記（２）の構成によれば、隣接する被覆固定部では一対の被覆加締め片の先端部の合わせ順序が逆になっていて、緩み防止効果の高い被覆加締め片の位置が各被覆固定部で逆になるため、電線の振れによって作用する外力が左右いずれの場合でも、何れか一方の被覆固定部で巻きの緩みを防止する効力が発揮される。
【００１９】
従って、電線への巻きが緩む方向に被覆加締め片が変形することを防止して、被覆部への適正な固定状況を長期に亘って維持することができる。
【発明の効果】
【００２０】
本発明による圧着端子によれば、被覆固定部が、前記被覆部の長手方向に位置をずらした少なくとも２カ所に設けられ、被覆固定部に装備された一対の被覆加締め片は、それぞれの先端同士が重なるように装備されていて、一対の被覆加締め片を被覆部の上に加締め付けた際に、各被覆加締め片から電線への締め付け力の作用点がずれないため、固定対象となる電線が剛性の低い極細の電線等で、各被覆加締め片を強く加締め付けても、電線に屈曲変形を招くことがなく、しっかりとした固定が可能になる。
【００２１】
また、本発明による電線固定構造によれば、隣接する被覆固定部では一対の被覆加締め片の先端部の合わせ順序が逆になっていて、緩み防止効果の高い被覆加締め片の位置が各被覆固定部で逆になるため、電線の振れによって作用する外力が左右いずれの場合でも、何れか一方の被覆固定部で巻きの緩みを防止する効力が発揮される。
【００２２】
従って、電線への巻きが緩む方向に被覆加締め片が変形することを防止して、被覆部への適正な固定状況を長期に亘って維持することができる。
【発明を実施するための最良の形態】
【００２３】
以下、本発明に係る圧着端子の好適な実施の形態について、図面を参照して詳細に説明する。
図１は本発明に係る圧着端子における電線固定構造の一実施の形態の斜視図、図２は図１に示した圧着端子の被覆固定部及び圧着接続部の展開図、図３（ａ）は図１のＡ−Ａ断面図、図３（ｂ）は図１のＢ−Ｂ断面図である。
【００２４】
図１に示した圧着端子１１は、金属板によるプレス成形品で、コネクタハウジングの端子挿入穴に嵌合支持されて相手側のコネクタ端子との嵌合接続を果たす嵌合接続部２と、電線３の先端が接続される電線圧着部１３とから構成されている。
【００２５】
本実施の形態の電線圧着部１３は、電線３の外被に覆われている被覆部３ａを把持する２つの被覆固定部１５と、嵌合接続部２側に位置する被覆固定部１５と嵌合接続部２との間に装備された圧着接続部７とを備えている。
【００２６】
圧着接続部７は、嵌合接続部２から延出した導体載置部（底板部）７ａの両側に延設された一対の導体加締め片７ｂ，７ｃを導体載置部７ａに載せられた導体部３ｂに加締め付けることで、導体部３ｂとの圧着接続を果たす。
【００２７】
本実施の形態で被覆部３ａを固定するために装備された２つの被覆固定部１５は、被覆部３ａの長手方向に位置をずらして設けられている。
【００２８】
また、それぞれの被覆固定部１５は、嵌合接続部２から延出した導体載置部７ａに連続する被覆載置部（底板部）１５ａの両側に延設された一対の被覆加締め片１５ｂ，１５ｃを被覆載置部１５ａに載せられた電線３の被覆部３ａに加締め付けることで被覆部３ａを固定する。
【００２９】
本実施の形態の各被覆固定部１５の一対の被覆加締め片１５ｂ，１５ｃは、被覆部３ａの上に加締め付けた際に、それぞれの被覆加締め片１５ｂ，１５ｃの先端同士が重なるように、延出方向と長さを設定されている。
【００３０】
具体的には、図２の展開図に示すように、各被覆固定部１５の一対の被覆加締め片１５ｂ，１５ｃは、中心軸Ｃに直交する直線ｘ１，ｘ２上に位置を揃えて設けられている。
【００３１】
更に、図１に示した電線固定構造では、各被覆固定部１５に電線３の被覆部３ａを固定する際に、隣接する各被覆固定部１５では、一対の被覆加締め片１５ｂ，１５ｃの先端部の合わせ順序を逆にしている。
【００３２】
図１の例では、嵌合接続部２側に位置する被覆固定部１５においては、図３（ａ）に示すように、端子の先端側から見て右側に延出した被覆加締め片１５ｂが左側に延出した被覆加締め片１５ｃの上に重なる形態に一対の被覆加締め片１５ｂ，１５ｃが加締め付けられている。それに対して、嵌合接続部２から離れている側の被覆固定部１５においては、図３（ｂ）に示すように、端子の先端側から見て左側に延出した被覆加締め片１５ｃが右側に延出した被覆加締め片１５ｂの上に重なる形態に一対の被覆加締め片１５ｂ，１５ｃが加締め付けられている。
【００３３】
以上に説明した圧着端子１１では、電線３の被覆部３ａを２つの被覆固定部１５で固定することになるため、単一の被覆固定部しか装備していなかった従来の圧着端子１（図５参照）と比較して、電線３の固定強度を向上させることができる。
【００３４】
また、各被覆固定部１５に装備された一対の被覆加締め片１５ｂ，１５ｃは、それぞれの先端同士が重なるように装備されていて、被覆加締め片１５ｂと被覆加締め片１５ｃとが電線３の長手方向に位置ずれしていないため、一対の被覆加締め片１５ｂ，１５ｃを被覆部３ａの上に加締め付けた際に、各被覆加締め片１５ｂ，１５ｃから電線３への締め付け力の作用点がずれない。従って、固定対象となる電線３が剛性の低い極細の電線３に対して、各被覆加締め片１５ｂ，１５ｃを強く加締め付けた場合でも、電線３に屈曲変形を招くことがなく、しっかりとした固定が可能になる。
【００３５】
更に、上記の圧着端子１１では、図１に示したように、２つの被覆固定部１５に電線３の被覆部３ａを固定する際に、隣接する各被覆固定部１５では、一対の被覆加締め片１５ｂ，１５ｃの先端部の合わせ順序を逆にした電線固定構造を実施することができる。
【００３６】
また、上記のように一対の被覆加締め片１５ｂ，１５ｃを先端部が重なるように被覆部３ａ上に加締め付けた電線固定構造では、先端部が下になっている被覆加締め片は、上に重なっている他方の被覆加締め片により動きが規制されて、被覆部３ａに対する巻き（締め付け）が緩み難いため、その加締め片の巻きを緩める方向の外力が作用しても、その外力で変形することがなく、被覆部３ａの固定状態を維持することができる。
【００３７】
例えば、図３（ａ）に示した電線固定構造の場合は、端子の先端側から見て左側に延出した被覆加締め片１５ｃの先端部が下になっているため、図４（ａ）に示すように被覆加締め片１５ｃの巻きを緩める方向の外力Ｆ３に対して、外力Ｆ３に抗する強い固定力を発揮でき、被覆部３ａの固定状態を維持することができる。
【００３８】
一方、図３（ｂ）に示した電線固定構造の場合は、図３（ａ）の場合と逆で、端子の先端側から見て右側に延出した被覆加締め片１５ｂの先端部が下になっているため、図４（ｂ）に示すように被覆加締め片１５ｂの巻きを緩める方向の外力Ｆ４に対して、外力Ｆ４に抗する強い固定力を発揮でき、被覆部３ａの固定状態を維持することができる。
【００３９】
即ち、図１に示した電線固定構造では、隣接する２つの被覆固定部１５は、それぞれ逆方向の外力に抗することができるため、電線３の振れによって作用する外力が左右いずれの方向の場合でも、何れか一方の被覆固定部１５で巻きの緩みを防止する効力が発揮され、電線３への巻きが緩む方向に被覆加締め片が変形することを防止して、被覆部３ａへの適正な固定状況を長期に亘って維持することができる。
【００４０】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４１】
例えば、被覆部の長手方向に位置をずらした３カ所以上に被覆固定部を装備するようにしても良い。
【００４２】
その場合にも、各被覆固定部の一対の被覆加締め片は、前記被覆部の上に加締め付けた際に、それぞれの被覆加締め片の先端同士が重なるように、延出方向と長さを設定しておくと良い。また、各被覆固定部に電線の被覆部を固定する際に、隣接する各被覆固定部では、一対の被覆加締め片の先端部の合わせ順序を逆にしておくと良い。
【図面の簡単な説明】
【００４３】
【図１】本発明に係る圧着端子における電線固定構造の一実施の形態の斜視図である。
【図２】図１に示した圧着端子の被覆固定部及び圧着接続部の展開図である。
【図３】（ａ）は図１のＡ−Ａ断面図、（ｂ）は図１のＢ−Ｂ断面図である。
【図４】（ａ）は図１の圧着端子における電線固定構造において電線が右に振れた状況での作用説明図、（ｂ）は図１の圧着端子における電線固定構造において電線が左に振れた状況での作用説明図である。
【図５】従来の圧着端子における電線固定構造を示す斜視図である。
【符号の説明】
【００４４】
２  嵌合接続部
３  電線
３ａ  被覆部
３ｂ  導体部
７  圧着接続部
７ａ  導体載置部
７ｂ，７ｃ  導体加締め片
１１  圧着端子
１５  被覆固定部
１５ａ  被覆載置部
１５ｂ，１５ｃ  被覆加締め片
【図１】
2010113984.tif 000003
【図２】
2010113984.tif 000004
【図３】
2010113984.tif 000005
【図４】
2010113984.tif 000006
【図５】
2010113984.tif 000007